(57)【要約】  空気スピンドルと共に使用される、新しい取付アセンブリが説明される。この取付アセンブリは、取付カラーの中に挿入してその中で回転可能である、挿入可能な頂部を含む。この挿入可能な頂部は、第１の径を伴う上部ディスク形状部、及び第２の径を伴い上部ディスク形状部に隣接する下部ディスク形状部で形成される。上部ディスク形状部の外周には、その中に形成された溝を有し、上部ディスク形状部及び下部ディスク形状部は、これらを貫通して、この溝に対して垂直に軸方向に形成された通路を有する。取付アセンブリは、挿入可能な頂部の下方に配設されたスリーブをさらに含み、このスリーブは、挿入可能な頂部に対して垂直な側壁を伴う開口部を画定し、この開口部は、スピンドルを保持するようサイズが決められ、スリーブの壁の内側におけるポートは、挿入可能な頂部の通路との流体連通をもたらす開口部を画定する。【選択部】図１
2021526979.tif 000002
【特許請求の範囲】
【請求項１】
空気スピンドルと共に使用される、取付アセンブリであって、
取付カラーの中に挿入してその中で回転可能である、挿入可能な頂部であって、第１の径を伴う上部ディスク形状部、及び第２の径を伴い前記上部ディスク形状部に隣接する下部ディスク形状部で形成され、前記上部ディスク形状部の外周には、その中に形成された溝を有し、前記上部ディスク形状部及び前記下部ディスク形状部は、これらを貫通して、前記溝に対して垂直に軸方向に形成された通路を有する、挿入可能な頂部と、
前記挿入可能な頂部の下方に配設されたスリーブであって、前記挿入可能な頂部に対して垂直な側壁を伴う開口部を画定し、前記開口部は、スピンドルを保持するようサイズが決められ、前記スリーブの壁の内側におけるポートは、前記挿入可能な頂部の前記通路との流体連通をもたらす前記開口部を画定し、前記開口部に対して垂直の縁部をさらに備え、前記縁部は、前記開口部と同心で所与の深さを有する弓形状のチャネルを画定し、前記弓形状のチャネルは、前記縁部から離れるよう前記側壁の領域に延びる、スリーブと
を備える、取付アセンブリ。
【請求項２】
前記上部ディスク形状部の前記第１の径は、前記下部ディスク形状部の前記第２の径よりも小さい、請求項１に記載の取付アセンブリ。
【請求項３】
前記側壁は、前記開口部内で前記スピンドルを固定するために、前記側壁に対して垂直の１つまたは複数の穴をさらに画定する、請求項１に記載の取付アセンブリ。
【請求項４】
端部キャップ本体を伴う端部キャップであって、前記端部キャップ本体は、前記挿入可能な頂部を、前記端部キャップに対して３６０度回転させるのを可能にするよう、前記挿入可能な頂部を受け入れるための、前記端部キャップ本体を貫通する端部キャップ開口部を画定する、端部キャップと、
取付カラー及びカラーアームを伴い、前記取付カラーは、前記端部キャップを受け入れるための、前記取付カラーを貫通するカラー開口部を画定する、カラーと
をさらに含む、請求項１に記載の取付アセンブリ。
【請求項５】
前記挿入可能な頂部を受け入れて、前記カラーに対して３６０度回転させるのを可能にするよう、前記端部キャップを貫通する端部キャップ開口部を画定するための、外側壁を伴う端部キャップと、
前記挿入可能な頂部の、前記カラーに対する回転量を示すために、前記外側壁に配設されたラジアンスケールと
をさらに含む、請求項４に記載の取付アセンブリ。
【請求項６】
前記取付カラーに連結されたガス入口をさらに備え、
前記取付カラーは、前記ガス入口と前記カラー開口部との間を流体連通する通路をさらに画定する、請求項４に記載の取付アセンブリ。
【請求項７】
前記ガス入口は、ガスを所与の圧力より高くして、前記ガス入口の中に所与の圧力より高く通すよう適応された、チェックバルブを含む、請求項６に記載の取付アセンブリ。
【請求項８】
スピンドルをさらに備える、請求項４に記載の取付アセンブリ。
【請求項９】
前記ガス入口に着脱可能に装着された、空気供給ラインをさらに備える、請求項４に記載の取付アセンブリ。
【請求項１０】
前記カラーに着脱可能に装着されたＣＮＣ機械をさらに備える、請求項４に記載の取付アセンブリ。
【請求項１１】
機械加工システムであって、
スピンドルと、
ＣＮＣ機械と、
自動交換デバイスと、
ガス供給ラインと、
取付アセンブリであって、
取付カラーの中に挿入してその中で回転可能であり、第１の径を伴う上部ディスク形状部、及び第２の径を伴い前記上部ディスク形状部に隣接する下部ディスク形状部で形成され、前記上部ディスク形状部の外周には、その中に形成された溝を有し、前記上部ディスク形状部及び前記下部ディスク形状部は、これらを貫通して、前記溝に対して垂直に軸方向に形成された通路を有する、挿入可能な頂部と、
前記挿入可能な頂部の下方に配設されたスリーブであって、前記挿入可能な頂部に対して垂直な側壁を伴う開口部を画定し、前記開口部は、前記スピンドルを保持するようサイズが決められ、前記スリーブの壁の内側におけるポートは、前記挿入可能な頂部の前記通路との流体連通をもたらす前記開口部を画定し、前記開口部に対して垂直の縁部をさらに備え、前記縁部は、前記開口部と同心で所与の深さを有する弓形状のチャネルを画定し、前記弓形状のチャネルは、前記縁部から離れるよう前記側壁の領域に延びる、スリーブと
を含む、取付アセンブリと
を備える、機械加工システム。
【請求項１２】
前記上部ディスク形状部の前記第１の径は、前記下部ディスク形状部の前記第２の径よりも小さい、請求項１１に記載の機械加工システム。
【請求項１３】
前記側壁は、前記開口部内で前記スピンドルを固定するために、前記側壁に対して垂直の１つまたは複数の穴をさらに画定する、請求項１１に記載の機械加工システム。
【請求項１４】
端部キャップ本体を伴う端部キャップであって、前記端部キャップ本体は、前記挿入可能な頂部を、前記端部キャップに対して３６０度回転させるのを可能にするよう、前記挿入可能な頂部を受け入れるための、前記端部キャップ本体を貫通する端部キャップ開口部を画定する、端部キャップと、
取付カラー及びカラーアームを伴い、前記取付カラーは、前記端部キャップを受け入れるための、前記取付カラーを貫通するカラー開口部を画定する、カラーと
をさらに備える、請求項１１に記載の機械加工システム。
【請求項１５】
外側壁を伴う端部キャップであって、前記挿入可能な頂部を、前記カラーに対して３６０度回転させるのを可能にするよう、前記挿入可能な頂部を受け入れるために、前記端部キャップを貫通する端部キャップ開口部を画定するための、端部キャップと、
前記挿入可能な頂部の、前記カラーに対する回転量を示すために、前記外側壁に配設されたラジアンスケールと
をさらに含む、請求項１４に記載の機械加工システム。
【請求項１６】
前記取付カラーに連結されたガス入口をさらに備え、
前記取付カラーは、前記ガス入口と前記カラー開口部との間を流体連通する通路をさらに画定する、請求項１４に記載の機械加工システム。
【請求項１７】
前記ガス入口は、ガスを所与の圧力より高くして、前記ガス入口の中に所与の圧力より高く通すよう適応された、チェックバルブを含む、請求項１６に記載の機械加工システム。
【請求項１８】
前記挿入可能な頂部において軸方向に形成された前記通路には、中に内ネジ及びネジ山が付いたニップルが形成され、圧力ガスが通過し、前記スピンドルを前記スリーブに固定するのを可能にする、請求項１１に記載の機械加工システム。
【発明の詳細な説明】
【技術分野】
【０００１】
本出願は、２０１８年６月１１日に出願された「Ｎｉｎｅｔｙ  Ｄｅｇｒｅｅ  Ａｕｔｏ  Ｃｈａｎｇｅｒ  Ｓｐｉｎｄｌｅ  Ｍｏｕｎｔｉｎｇ  Ａｓｓｅｍｂｌｙ」と題する、先行出願の米国仮特許出願第６２／６８１，４４１号の優先権を主張し、それに関する。記載された説明及び図の全体を含むこの先行出願は、本出願に参照として組み込まれる。
【０００２】
本開示は、全体的に機械加工処理に関し、より具体的には、機械加工のための装置及び方法に関する。
【背景技術】
【０００３】
コンピュータ数値制御（ＣＮＣ）機械は、機械加工処理に利用され、コンピュータ制御器を利用する。このコンピュータ制御器は、選択的に金属を取り除くことによって、金属構成要素を製造するために使用される動力機械式デバイスを駆動するための、Ｇコード命令を一般に読み取る。ＣＮＣは、機械の加工エリアにおいて、切削ツールを数値的に指示して補間する。
【０００４】
動力機械式デバイスは、空気圧工具（例えばドリル）であることが多く、ＣＮＣ機械の中に挿入または後退させることによって、ＣＮＣ機械と連結するよう適合される。空気圧工具またはスピンドルは、手動でＣＮＣ機械に連結させる場合があり、または自動工具交換機を利用する場合がある。
【０００５】
いくつかの工具は、ＣＮＣ工具マガジンから利用可能であるが、工具との好適な電力接続を確立し得るよう、交換後に機械を停止させる必要がある。他の工具は、空気圧源に予め接続されているが、手動でＣＮＣ機械と係合させなければならない。したがって、ＣＮＣ機械は一般に、手動による工具の設定、または機械と連結した後で工具との好適な電力リンクを作り出すのを可能にするために、正常な機械加工サイクルの前に停止するようプログラムされる。
【発明の概要】
【発明が解決しようとする課題】
【０００６】
機械加工のための装置及び方法が提供される。本明細書で説明する例の特徴は、工具の取替処理を向上させながら機械加工を可能にする。これらの特徴はさらに、ＣＮＣ機械または他の制御デバイスと共に様々なタイプの工具を使用するための、柔軟性をもたらすことができる。
【０００７】
今回請求する発明は、工具の取替処理を向上させる、機械加工のための装置及び方法を提供する。本発明はさらに、地面に平行な面上で働く様々なタイプの工具を使用するための、柔軟性をもたらす装置及び方法を提供する。
【課題を解決するための手段】
【０００８】
より具体的には、開示するのは、空気スピンドルと共に使用される取付アセンブリである。この取付アセンブリは、取付カラーの中に挿入してその中で回転可能である、挿入可能な頂部を含む。この挿入可能な頂部は、第１の径を伴う上部ディスク形状部、及び第２の径を伴い上部ディスク形状部に隣接する下部ディスク形状部で形成される。上部ディスク形状部の外周は、その中に形成された溝を有し、上部ディスク形状部及び下部ディスク形状部は、これらを貫通して、この溝に対して垂直に軸方向に形成された通路を有する。この取付アセンブリは、挿入可能な頂部の下方に配設されたスリーブをさらに含む。このスリーブは、挿入可能な頂部に対して垂直な側壁を伴う開口部を画定し、この開口部は、スピンドルを保持するようサイズが決められる。スリーブの壁の内側におけるポートは、挿入可能な頂部の通路との流体連通をもたらす開口部を画定する。スリーブは、この開口部に対して垂直の縁部をさらに備え、この縁部は、開口部と同心で所与の深さを有する弓形状のチャネルを画定する。この弓形状のチャネルは、縁部から離れるよう、側壁の領域に延びる。
【０００９】
１つの例において、側壁は、開口部内でスピンドルを固定するために、側壁に対して垂直の１つまたは複数の穴を、さらに画定する。
【００１０】
別の例において、取付アセンブリにおける上部ディスクの第１の径は、下部ディスクの第２の径よりも小さい。
【００１１】
さらに別の例において、取付アセンブリは、端部キャップ本体を伴う端部キャップをさらに含む。この端部キャップ本体は、挿入可能な頂部を、端部キャップに対して３６０度回転させるのを可能にするよう、挿入可能な頂部を受け入れるための、端部キャップ本体を貫通する端部キャップ開口部を画定する。取付アセンブリは、取付カラー及びカラーアームを伴うカラーを含む。この取付カラーは、端部キャップを受け入れるための、取付カラーを貫通するカラー開口部を画定する。
【００１２】
異なる例において、取付アセンブリは、貫通する端部キャップ開口部を画定するための外側壁を伴う端部キャップをさらに含み、挿入可能な頂部を、カラーに対して３６０度回転させるのを可能にするよう、挿入可能な頂部を受け入れる。取付アセンブリは、挿入可能な頂部の、カラーに対する回転量を示すために、外側壁に配設されたラジアンスケールを含む。
【００１３】
本開示の、上述及び他の特徴、ならびに利点は、以下の詳細な説明、図、及び添付の特許請求の範囲から、当業者に認識かつ理解される。
【図面の簡単な説明】
【００１４】
【図１】本発明の実施形態による、例示的な機械加工システムの斜視図である。
【図２】図１のシステムの、別の部分の斜視図である。
【図３】図１のシステムの、スピンドル及び取付カラーアセンブリの側面図である。
【図４】図３の取付アセンブリの斜視図である。
【図５】図４の取付アセンブリの側面図である。
【図６】図４の取付アセンブリの別の側面図である。
【図７】クイック交換アダプタ端部の側面図である。
【図８】図７のクイック交換アダプタ端部の斜視図である。
【図９】図７のクイック交換アダプタ端部の底面図である。
【図１０】異なるクイック交換端部端部アダプタを伴う、図１のシステムにおけるスピンドル及び取付カラーアセンブリの側面図である。
【発明を実施するための形態】
【００１５】
必要に応じて、詳細な実施形態が本明細書で開示されるが、開示する実施形態は単に例に過ぎず、以下で説明するシステム及び方法は、様々な形態で具現化され得ることを理解されたい。したがって、本明細書で開示する特定の構造詳細及び機能詳細を、限定としてではなく、単に特許請求の範囲の基礎として、及び当業者に、実質的に任意の適切な詳細構造及び詳細機能において、開示する主題を様々に利用するよう教示するための代表的な基本として、解釈されたい。さらに、本明細書で使用される用語及びフレーズは、限定を意図するものではなく、理解可能な説明を提供することを意図する。
【００１６】
本明細書で使用される用語「１つの（ａ）または（ａｎ）」は、１つまたは１つより多いものと定義される。本明細書で使用される用語「複数の（ｐｌｕｒａｌｉｔｙ）」は、２つまたは２つより多いものと定義される。本明細書で使用される用語「別の（ａｎｏｔｈｅｒ）」は、少なくとも２番目以上と定義される。本明細書で使用される用語「含んでいる（ｉｎｃｌｕｄｉｎｇ）」及び「有している（ｈａｖｉｎｇ）」は、備えている（すなわちオープン言語）と定義される。本明細書で使用される用語「連結された（ｃｏｕｐｌｅｄ）」は、必ずしも直接的ではなく、及び必ずしも機械的ではなくとも、「接続された（ｃｏｎｎｅｃｔｅｄ）」と定義される。
【００１７】
用語「空気」は、空気と混合されたオイルを含む、多くの様々なタイプの流体を広範に網羅するよう意図される。様々な材料、または材料の組み合わせを使用して、取付カラーアセンブリ及びその構成要素を構築することができる。例えば、金属、合金、複合材料、プラスチック、セラミック等の材料、及び他の無機材料もしくは有機材料、またはそれらの組み合わせが、使用され得る。
機械加工システム
【００１８】
図面、詳細には図１及び２を参照すると、機械加工システムが示され、全体的に参照番号１０２で表わされる。システム１０２は、ＣＮＣ機械などの制御デバイス１０４、工具用カローセル１４０、及び１つまたは複数の工具もしくはスピンドル１４２を含むことができる。制御デバイス１０４は、命令を入力するためのユーザ入力デバイス１０６を含むことができる。制御デバイス１０４は、様々なコンピュータのハードウェア及びソフトウェアを利用して、ワークピースの機械加工処理を実施することができる。本開示は、利用する制御のタイプに基づいて限定することを意図しない。
【００１９】
システム１０２は、スピンドル１４２と協働するユニバーサルスピンドル取付アセンブリ（ＵＳＭＡ）１５０も有することができ、ＣＮＣ機械１０４を用いてスピンドルの自動取替を可能にする。システム１０２の例示的な実施形態において、スピンドル１４２は、ＣＮＣ機械１０４と工具用カローセル１４０との間で、後で詳細に説明する自動交換デバイスによって取り替えられる。しかし本開示は、リニアカローセルなどの、ＵＳＭＡ１５０の使用を介してスピンドル１４２をＣＮＣ機械１０４と接続及び接続解除するための、他の構造及び技術の使用を企図する。
【００２０】
図２を参照すると、ＵＳＭＡ１５０は、取付カラーアセンブリ２５０及び取付ブロックまたはマニフォルド本体２００を含むことができる。取付カラーアセンブリ２２０は、取付カラーアセンブリ２３０に動作可能に連結され得る。取付カラーアセンブリ２３０は、示されるようにスピンドル２４０を地面に平行に保持し、一方で取付ブロックまたはマニフォルド本体２００は、ＣＮＣ機械１０４に動作可能に連結され得る。ワークピース２９０は、システム１０２を用いて機械加工されているよう示される。
９０度取付アセンブリ
【００２１】
図３は、図１のシステムのスピンドル及び取付カラーアセンブリ２４０の側面図である。まず上に示されるのは、ＣＮＣ機械１０４に機械的に連結される（ＵＳＭＡ）１５０である。次は取付カラー２２０である。取付カラー２２０は、頂部側３２６及び底部側３２８を含む。取付カラー２２０は、示されるように頂部側３２６と底部側３２８との間を貫通して形成された、カラー開口部３２４を含む。
【００２２】
取付カラー２２０は、空気入口アセンブリ３２２とカラー開口部３２４との間で流体連通する、通路３２４を含む。空気入口アセンブリ３２２は、取付カラー３３０の中に挿入するためのネジ山付き端部３２３を有する。１つの例において、空気入口アセンブリ３２２は、バネが装填されたチェックバルブを含む。このチェックバルブは、所与の圧力を上回ると開き、空気などの流動体を空気入口アセンブリ３２２の中に流す。チェックバルブの使用は、任意の汚れ及び望ましくないごみが、空気入口アセンブリ３２２に入るのを大幅に軽減させる。これは、切削チップ３６２を伴う、取付カラーアセンブリ２４０及びスピンドル３６０が、工具用カローセルに格納されているとき、ならびに／または使用されていないときに、特に重要である。別の例において、空気は、ＵＳＭＡ１５０自体を通して導かれる（図示せず）。取付カラー２２０は、カラースリーブ３３０に機械的に連結される。
【００２３】
さらに取付スリーブ３３０は、以下でさらに説明する取付アセンブリ２３０を機械的に保持するよう適応される。切削チップ３６２を伴う先行技術のスピンドル３６０も示される。本発明は、特定のタイプのスピンドル３６０に限定されないが、Ｂｏｃａ  ＲａｔｏｎのＡＩＲ  ＴＵＲＢＩＮＥ  Ｔｅｃｈｎｏｌｏｇｉｅｓ社から入手可能なスピンドルが、本発明において効果的に作動するよう示される。
【００２４】
図４は、図３の取付アセンブリ２３０の斜視図である。まず上から、取付カラー３３０の中に挿入するための挿入可能な頂部３４４が示される。取付アセンブリ２３０は、取付スリーブ３３０の内側に回転可能に取り付けられ、３６０度の円形位置における任意の位置に調節可能である。１つの例において、ラジアンスケール（図示せず）が、取付スリーブ３３０に対する挿入可能な頂部３４４の回転角度を示すために、取付アセンブリ２３０の外側壁に配設される。
【００２５】
挿入可能な頂部３４４は、上部ディスク形状部３４４及び下部ディスク形状部３４８を伴って形成され、封止チャネル３４７の溝を画定する。封止チャネルは、Ｏ型リング（図示せず）を含み得る。上部ディスク形状部３４４の径は、１つの例において、下部ディスク形状部３４８の径よりも小さい。さらに、上部ディスク形状部３４４の外周は、その中に形成された溝３５６を含む。軸方向の空気通路３４２は、上部ディスク形状部３４４及び下部ディスク形状部３４８を含む挿入可能な頂部３４４を貫通して形成される。軸方向の空気通路３４２は、図５に示される側面図において破線で示される。
【００２６】
次に参照する図５は、図４の取付アセンブリ２３０の側面図である。取付アセンブリ２３０の挿入可能な頂部３４４の下方に配設された、スリーブ３５２が示される。このスリーブは、側壁３６０を伴う実質的な円形開口部３５４を有し、スピンドル３６０を収容する。側壁３６０は、軸方向の空気通路３４２と流体連通するポート３６４を含む。ポート３６４は、圧縮空気をスピンドル３６０に提供するために形成される。軸方向の空気通路３４２は、ＵＳＭＡ１５０を伴って封止するため、内側壁にＯ型リング３４１を含む。軸方向の空気通路３４２にはさらに、ネジ山付き側壁が形成される。外ネジを伴うニップル３４３は、軸方向の空気通路３４２のネジの中にネジ留めされ、圧縮空気が通過すること、ならびにスピンドル３６０を取付アセンブリ２３０に固定することを可能にする。任意選択の係止ネジ（図示せず）が、ニップル３４３に加えて使用され得る。
【００２７】
円形開口部３５４は、軸方向の空気通路３４２に対して実質的に垂直である。換言すると、この垂直配置は、ＵＳＭＡ１５０に対して９０度である。円形開口部３５４の円周の半分より長く囲むスリーブ３５２は、円形開口部３５４に対して垂直の縁部３５８を含む。縁部３５８は、円形開口部３５４と同心の、弓形状のチャネル３５６を画定する。弓形状のチャネル３５６は、縁部３５８から離れるよう、側壁３６０の領域に延びる深さを有する。
【００２８】
図６は、図４の取付アセンブリ２３０の別の側面図である。縁部３５８から離れるよう、側壁３６０の領域に延びる深さを有する、弓形状のチャネル３５６が示される。内部の弓形状のチャネル３６６は、側壁３６０に形成される。内部の弓形状のチャネル３６６と、弓形状のチャネル３５６との間は流体連通し、スピンドル３６０からの排気が、内部の弓形状のチャネル３６６から弓形状のチャネル３５６を通過するのを可能にする。
【００２９】
図７は、ユニバーサルスピンドル取付アセンブリ（ＵＳＭＡ）３１２などの、クイック交換アダプタ端部３１０の側面図である。図８は、図７のクイック交換アダプタ端部の斜視図である。８１２を貫通した複数の開口部８０２が示される。８１２を貫通したこれらの開口部８０２は、ネジ山付きであってよく、取付アセンブリ２３０を図３の取付スリーブ３３０の中に保持するために、図４のチャネル３４７に係合する設定ネジ（図示せず）を有し得る。
【００３０】
図９は、図７のクイック交換アダプタ端部の底面図である。
【００３１】
図１０は、異なるクイック交換端部アダプタ３７８を伴う、図１のシステムのスピンドル及び取付カラーアセンブリ２４０の側面図である。切削チップ１０４０の例も示される。この切削チップ１０１４０は単なる例であり、他の切削チップが本発明の正確な範囲内に企図されることに留意することが重要である。
【００３２】
取付カラーアセンブリ２４０は、様々な金属材料、ならびに有機材料及び無機材料、または複合物を含む非金属材料から組み立てることができる。本明細書で説明する実施形態の例示は、様々な実施形態の構造の全体的な理解をもたらすよう意図され、それらは、本明細書で説明する構造を利用し得る装置及びシステムの、全ての要素及び特徴の完全な説明として役立つようには意図されない。当業者には、上記の説明を考察すると、多くの他の実施形態が明白となろう。構造及び論理の代替ならびに変更が、本開示の範囲から逸脱することなく成され得るよう、他の実施形態が利用され、導出され得る。図も単なる代表的なものであり、縮尺に則っていない場合がある。それらのうち、ある比率は誇張され、一方で他の比率は卑小化され得る。したがって、明細書及び図は、限定ではなく例示として見なされるべきである。そのため、特定の実施形態を本明細書で例示及び説明したが、同じ目的を実現するために計算された任意の配置が、示された特定の実施形態と交換され得ることを理解されたい。本開示は、様々な実施形態の全ての応用または変形を網羅するよう意図される。上記の実施形態の組み合わせ、及び本明細書で具体的に説明しなかった他の実施形態が、上記の説明を考察すると、当業者には明白となろう。したがって、本開示は、本発明を実行するために企図された最良のモードとして開示された、特定の実施形態に限定されないが、本発明は、添付の特許請求の範囲内に収まる全ての実施形態を含むことになる。
【図１】
2021526979.tif 000003
【図２】
2021526979.tif 000004
【図３】
2021526979.tif 000005
【図４】
2021526979.tif 000006
【図５】
2021526979.tif 000007
【図６】
2021526979.tif 000008
【図７】
2021526979.tif 000009
【図８】
2021526979.tif 000010
【図９】
2021526979.tif 000011
【図１０】
2021526979.tif 000012
【国際調査報告】
2021526979.tif 000013